(57)【要約】      （修正有）【課題】非常に簡易な構造で以って多機能を備えた健康器具を提供する。【解決手段】弾性を有し折り曲げ可能であり、端部に挿入部が形成される弾力ロッド１０と、伸縮可能な弾性材料からなるロープ体２２を有し、該ロープ体２２の両端にそれぞれグリップ２１が固設され、該グリップ２１の一端に、内径が前記挿入部の外径と対応する挿入孔が形成される弾力ロープ２０とを含むことを特徴とする。【選択図】図１
0003144903.tif 000002
【実用新案登録請求の範囲】
【請求項１】
弾性を有し、折り曲げ可能であり、端部に挿入部（１１）が形成される弾力ロッド（１０）と、
伸縮可能な弾性材料からなるロープ体（２２）を有し、該ロープ体（２２）の両端にそれぞれグリップ（２１）が固設され、該グリップ（２１）の一端に、内径が前記挿入部（１１）の外径と対応する挿入孔（２１１）が形成される弾力ロープ（２０）と、を含むことを特徴とする、
多機能健康器具。
【請求項２】
前記挿入部（１１）の内側端部に止め部（１２）が設けられると共に、表面に突起ブロック（１３）が設けられ、前記グリップ（２１）における自由端の近傍に、挿入孔（２１１）まで貫通する径方向の貫通溝（２１３）が貫設され、更に挿入孔（２１１）の表面に、該挿入孔（２１１）の軸方向と平行して貫通溝（２１３）の一端まで貫通する凹溝（２１２）が形成され、該貫通溝（２１３）及び凹溝（２１２）の大きさが突起ブロック（１３）と対応していることを特徴とする、請求項１に記載の多機能健康器具。
【請求項３】
前記弾力ロッド（１０）に回転自在な複数のマッサージ部（１４）がさらに設けられ、該弾力ロッドにおける、前記止め部（１２）とマッサージ部（１４）との間に、２本のカバーチューブ（１５）が設けられることを特徴とする、請求項２に記載の多機能健康器具。
【請求項４】
前記グリップ（２１）の表面に軟質部材（２１４）がさらに設けられることを特徴とする、請求項３に記載の多機能健康器具。
【考案の詳細な説明】
【技術分野】
【０００１】
本考案は健康器具に関し、特に２つの部品を有し、それぞれまたは組み合わせて使用することができる健康器具に関するものである。
【背景技術】
【０００２】
健康器具の種類は多種多様である。体積の面から言うと、多種の機能を有する本格的な大型器具から家庭内で使用できる小型器具まで揃っている。
一方、用途の面では、運動器具、マッサージ器具などがあり、種類が豊富である。
その中でも小型健康器具は、場所に問わずに何時でも簡単に使用することができ、持ち運びや収納の利便性にも優れている。
【考案の開示】
【考案が解決しようとする課題】
【０００３】
しかしながら、体積の大きい大型健康器具に対して小型健康器具は、手軽に購入できるが多機能ではない。
市場においては大型健康器具の機能に匹敵する、多機能を有する小型健康器具も販売されているが、これらの構造は複雑であることから、コストが増大し、それにつれて販売価額も高くなってしまうので、消費者にはあまり受け入れられないという欠点があった。
【０００４】
本考案は以上の点に鑑みて成されたものでそこで、本考案の目的とするところは、前記従来の課題を解消して非常に簡易な構造で以って多機能を有する健康器具を提供することにある。
【課題を解決するための手段】
【０００５】
上記目的を解決するため、本考案の第１考案に係る多機能健康器具は、弾性を有し、折り曲げ可能であり、端部に挿入部（１１）が形成される弾力ロッド（１０）と、伸縮可能な弾性材料からなるロープ体（２２）を有し、該ロープ体（２２）の両端にそれぞれグリップ（２１）が固設され、該グリップ（２１）の一端に、内径が前記挿入部（１１）の外径と対応する挿入孔（２１１）が形成される弾力ロープ（２０）と、を含むことを特徴としたものである。
【０００６】
また、本考案の第２考案に係る多機能健康器具は、前記挿入部（１１）の内側端部に止め部（１２）が設けられると共に、表面に突起ブロック（１３）が設けられ、前記グリップ（２１）における自由端の近傍に、挿入孔（２１１）まで貫通する径方向の貫通溝（２１３）が貫設され、更に挿入孔（２１１）の表面に、該挿入孔（２１１）の軸方向と平行して貫通溝（２１３）の一端まで貫通する凹溝（２１２）が形成され、該貫通溝（２１３）及び凹溝（２１２）の大きさが突起ブロック（１３）と対応していることを特徴としたものである。
【０００７】
そして、本考案の第３考案に係る多機能健康器具は、前記弾力ロッド（１０）に回転自在な複数のマッサージ部（１４）がさらに設けられ、該弾力ロッドにおける、前記止め部（１２）とマッサージ部（１４）との間に、２本のカバーチューブ（１５）が設けられることを特徴としたものである。
【０００８】
さらに、本考案の第４考案に係る多機能健康器具は、前記グリップ（２１）の表面に軟質部材（２１４）がさらに設けられることを特徴としたものである。
【考案の効果】
【０００９】
本考案に係る多機能健康器具は、上記の課題を解決するものであり、使用するときには、使用者が伸縮可能な弾性材料からなるロープ体の両端に固定されたグリップを握って縄跳びやストレッチなどをすることができると共に、弾力ロッドに設けられているマッサージ部を用いれば、マッサージをすることもできる。
【００１０】
更に、弾力ロッドの挿入部を、弾力ロープのグリップにおける挿入孔に挿着して組み合わせれば、使用者は、グリップを持って弾力ロッドを曲げたり伸ばしたりすることにより、上半身の筋肉を鍛錬することができ、また、足でロープ体を踏み、グリップを握って頭上に上げることにより、下半身の筋肉の鍛錬や重量挙げの訓練が可能となる。
【考案を実施するための最良の形態】
【００１１】
以下、添付図面を参照して本考案の好適な実施の形態を詳細に説明する。
尚、下記実施例は、本考案の好適な実施の形態を示したものにすぎず、本考案の技術的範囲は、下記実施例そのものに何ら限定されるものではない。
【００１２】
図１は本考案に係る多機能健康器具の斜視図であり、図２は本考案に係る多機能健康器具の結合部近傍を示す部分分解斜視図であり、図３は本考案に係る多機能健康器具の結合部の結合状態を示す部分斜視透視図であり、図４は本考案に係る多機能健康器具により上半身を鍛錬する場合の使用状態を示す図であり、図５は本考案に係る多機能健康器具により下半身を鍛錬する場合の使用状態を示す図であり、図６は本考案に係る多機能健康器具により重量挙げの訓練をする場合の使用状態を示す図である。
【００１３】
図１に示すように、本考案に係る多機能健康器具は、弾力ロッド（１０）と弾力ロープ（２０）とを含む。
【００１４】
図２に示すように、弾力ロッド（１０）は、弾性を有する棒状部材であり、力を加えることにより曲げることができ、力を抜けば元の状態に戻るものである。
その弾力ロッド（１０）の両端に挿入部（１１）が設けられ、該挿入部（１１）の内側端部に、外径が挿入部（１１）より大きい、輪状の止め部（１２）が設けられる。
更に、該挿入部（１１）の表面における、止め部（１２）付近に突起ブロック（１３）が設けられる。
【００１５】
そして、前記弾力ロッド（１０）の中央部に、複数のマッサージ部（１４）が回動自在に設けられる。
該マッサージ部（１４）と両端の止め部（１２）との間に、該マッサージ部（１４）を所定位置範囲内に制限するための２つのカバーチューブ（１５）が設けられる。
【００１６】
前記弾力ロープ（２０）は、伸縮可能な弾性材料からなるロープ体（２２）を含む。
該ロープ体（２２）の両端にグリップ（２１）が固設される。
該グリップ（２１）の一端に、内径が前記挿入部（１１）の外径と対応する挿入孔（２１１）が形成されると共に、前記グリップ（２１）における自由端の近傍に、挿入孔（２１１）まで貫通する径方向の貫通溝（２１３）が貫設される。
更に、挿入孔（２１１）の表面に、該挿入孔（２１１）の軸方向と平行して貫通溝（２１３）の一端まで貫通する凹溝（２１２）が形成される。
また、該貫通溝（２１３）及び凹溝（２１２）の大きさは、前記突起ブロック１３と対応していると共に、挿入孔（２１１）と、凹溝（２１２）と、貫通溝（２１３）とは互いに連通する構成である。
【００１７】
尚、前記グリップ（２１）に設けられる軟質部材（２１４）は、発泡体等の柔軟性を有する素材を使用することができる。
【００１８】
図３に示すように、弾力ロッド（１０）と弾力ロープ（２０）とを組み合わせた本考案の健康器具を以下の手順により使用することができる。
即ち、前記弾力ロッド（１０）の挿入部（１１）を、弾力ロープ（２０）のグリップ（２１）における挿入孔（２１１）に挿入し、突起ブロック（１３）を凹溝（２１２）に通過させ、貫通溝（２１３）の一端に進入させる。
この際、弾力ロッド（１０）の止め部（１２）は、グリップ（２１）の一端に当接している。
その後、グリップ（２１）を回転させて突起ブロック（１３）を、貫通溝（２１３）に沿ってその他側まで移動させることにより、弾力ロッド（１０）を弾力ロープ（２０）と結合させる。
【００１９】
図４に示すように、本考案の多機能健康器具により体の鍛錬を行う時には、手でグリップ（２１）を握持し、力を入れて弾力ロッド（１０）を曲げたり伸ばしたりすることにより、上半身の筋肉を鍛えることができる。
【００２０】
また、図５に示すように、足でロープ体（２２）を踏み、手でグリップ（２１）を握持し、弾力ロッド（１０）を肩に掛け、しゃがんだり立ち上がったりすることにより、下半身の筋肉を鍛えることができる。
【００２１】
また、図６に示すように、足でロープ体（２２）を踏み、手でグリップ（２１）を握持し、頭上まで上げたり下げたりすることにより、重量挙げの訓練を行うこともできる。
【００２２】
更に、本考案は、部材同士を組み合わせることにより、筋力トレーニングができるだけでなく、マッサージ部（１４）を用いれば、マッサージをすることもでき、更に、弾力ロープ（２０）を独自に使用すれば、縄跳びやストレッチなどをすることもできる。
【００２３】
本考案は上記の構成を有するので、使用者が伸縮可能な弾性材料からなるロープ体の両端に固定されたグリップを握って縄跳びやストレッチなどをすることができると共に、弾力ロッドに設けられているマッサージ部を用いれば、マッサージをすることもできる。
更に、弾力ロッドの挿入部を、弾力ロープのグリップにおける挿入孔に挿着して組み合わせれば、使用者は、グリップを持って弾力ロッドを曲げたり伸ばしたりすることにより、上半身の筋肉を鍛錬することができ、また、足でロープ体を踏み、グリップを持って頭上に上げることにより、下半身の筋肉の鍛錬や重量挙げの訓練が可能となる。
【図面の簡単な説明】
【００２４】
【図１】本考案に係る多機能健康器具の斜視図である。
【図２】本考案に係る多機能健康器具の結合部近傍を示す部分分解斜視図である。
【図３】本考案に係る多機能健康器具の結合部の結合状態を示す部分斜視透視図である。
【図４】本考案に係る多機能健康器具により上半身を鍛錬する場合の使用状態を示す図である。
【図５】本考案に係る多機能健康器具により下半身を鍛錬する場合の使用状態を示す図である。
【図６】本考案に係る多機能健康器具により重量挙げの訓練をする場合の使用状態を示す図である。
【符号の説明】
【００２５】
１０        弾力ロッド
１１        挿入部
１２        止め部
１３        突起ブロック
１４        マッサージ部
１５        カバーチューブ
２０        弾力ロープ
２１        グリップ
２１１        挿入孔
２１２        凹溝
２１３        貫通溝
２１４        軟質部材
２２        ロープ体
【図１】
0003144903.tif 000003
【図２】
0003144903.tif 000004
【図３】
0003144903.tif 000005
【図４】
0003144903.tif 000006
【図５】
0003144903.tif 000007
【図６】
0003144903.tif 000008